(57)【要約】【課題】少ない演算量または小さな回路規模で、ＯＦＤＭ方式の伝送信号をダイバシティ受信する際に行う最大比合成により得られる合成信号の品質を向上させる【解決手段】受信装置１００において、合成部１４０は、各ブランチの受信信号（Ｒ１、Ｒ２）に対してフーリエ変換を行って得た各ブランチのサブキャリア信号（Ｓ１、Ｓ２）をサブキャリア毎に最大比合成する際に、フーリエ変換前の各ブランチの受信信号の強度の大小関係に応じて、夫々のブランチの重付係数を補正する。具体的には、受信信号の強度が小さいブランチほど、該ブランチのサブキャリア信号に対して推定した伝送路応答の影響を弱めるようにして、夫々のブランチの重付係数を補正する。【選択図】図１
2014060591.tif 000002
【特許請求の範囲】
【請求項１】
直交周波数分割多重方式の伝送信号をダイバシティ受信する受信装置であって、
各ブランチの受信信号の強度の大小関係に応じて、前記受信信号の強度が小さいブランチほど小さくなる補正係数を求める補正係数算出部と、
ブランチ毎に、前記受信信号に対してフーリエ変換を行って各サブキャリアに夫々対応するサブキャリア信号を出力するフーリエ変換部と、
ブランチ毎に、各前記サブキャリア信号について伝送路応答を夫々推定する伝送路応答推定部と、
サブキャリア毎に、前記伝送路応答推定部により推定された各ブランチの前記伝送路応答に基づいて各ブランチの前記サブキャリア信号を重付加算することにより最大比合成して合成信号を得る際に、前記補正係数算出部により算出された各前記補正係数で重付係数を補正する合成部とを備える、
受信装置。
【請求項２】
前記合成部は、合成演算式に従った演算により各ブランチの前記サブキャリア信号を合成するものであり、
前記合成演算式は、前記最大比合成する場合の演算式である最大比合成演算式における、各ブランチの前記伝送路応答に夫々対応する項により構成された多項式である分子部分と分母部分の各前記項に、前記補正係数算出部により該項に対応するブランチに対して算出した前記補正係数を乗算して得た式である、
請求項１に記載の受信装置。
【請求項３】
前記合成部は、前記伝送路応答推定部により推定された各ブランチの前記伝送路応答を、前記補正係数算出部により算出された該ブランチの前記補正係数を乗算することにより補正し、補正後の各ブランチの前記伝送路応答を用いて、各ブランチの前記サブキャリア信号を最大比合成する際の重付係数を算出する、
請求項１に記載の受信装置。
【請求項４】
前記補正係数算出部は、前記受信信号のフレームの先頭に設けられた同期信号の強度を、該フレーム含まれる各シンボルの前記受信信号の強度として用いる、
請求項１から３のいずれか１項に記載の受信装置。
【請求項５】
ブランチ毎に前記受信信号をデジタル信号に変換して前記フーリエ変換部に供するＡ／Ｄ変換部と、
ブランチ毎に、ＡＧＣ（Ａｕｔｏ  Ｇａｉｎ  Ｃｏｎｔｒｏｌ）を行い、前記Ａ／Ｄ変換部へ入力される前記受信信号のゲインを調整するＡＧＣ部をさらに備え、
前記補正係数算出部は、前記ＡＧＣ部により得られた前記受信信号のフレームにおけるショート・プリアンブルの強度を前記同期信号の強度として用いる、
請求項４に記載の受信装置。
【請求項６】
前記補正係数算出部は、
前記受信信号の強度が最も大きいブランチである最強ブランチについては、最大の補正係数を付与し、
他の各ブランチについては、前記最強ブランチとの前記強度の差分に応じて、前記最大の補正係数以下の前記補正係数を求める、
請求項５に記載の受信装置。
【請求項７】
前記補正係数算出部は、前記他の各ブランチについて、前記最強ブランチの前記強度が大きいほど大きくなるように前記補正係数を求める、
請求項６に記載の受信装置。
【請求項８】
複数の閾値により規定された複数の強度範囲毎に設定された、前記強度の差分と前記補正係数との対応関係を示す複数のＬＵＴ（Ｌｏｏｋ  Ｕｐ  Ｔａｂｌｅ）をさらに備え、
夫々の前記ＬＵＴにおいて、前記強度の差分が大きいほど前記補正係数が小さくなり、
前記複数のＬＵＴ間で、同一の前記強度の差分に対して、大きい強度に対応する前記強度範囲に対して設定された前記ＬＵＴほど、該ＬＵＴにおける前記補正係数が大きくなり、
前記補正係数算出部は、前記他の各ブランチについて、前記最強ブランチの前記強度が含まれる前記強度範囲に対して設定された前記ＬＵＴを選択し、選択した前記ＬＵＴで前記補正係数を求める、
請求項７に記載の受信装置。
【請求項９】
前記合成部が得た前記合成信号に対して、復号を含む処理を行うバックエンド部をさらに備え、
前記補正係数算出部は、前記バックエンド部により得られた復号の結果についてのＣＲＣ（Ｃｙｃｌｉｃ  Ｒｅｄｕｎｄａｎｃｙ  Ｃｈｅｃｋ）処理の結果に基づいて、前記複数の閾値を調整可能である、
請求項８に記載の受信装置。
【請求項１０】
直交周波数分割多重方式の伝送信号を生成して送信する送信部と、
直交周波数分割多重方式の伝送信号をダイバシティ受信する受信部とを備え、
前記受信部は、請求項１〜９のいずれか１項に記載の受信装置である、
通信装置。
【請求項１１】
直交周波数分割多重方式の伝送信号の送信または受信を行う複数の通信装置を有し、
少なくとも１つの前記通信装置は、請求項１〜９のいずれか１項に記載の受信装置を備える、
通信システム。
【請求項１２】
直交周波数分割多重方式の伝送信号をダイバシティ受信する受信装置であって、
ブランチ毎に、
アンテナと、
前記アンテナにより受信した受信信号が入力され、Ａ／Ｄ変換と、前記Ａ／Ｄ変換へ供される前記受信信号のゲインを調整するＡＧＣ（Ａｕｔｏ  Ｇａｉｎ  Ｃｏｎｔｒｏｌ）処理とを含む処理を行うフロンドエンド部と、
前記フロンドエンド部が得たデジタル信号に対してフーリエ変換を行って各サブキャリアに夫々対応するサブキャリア信号を出力するフーリエ変換部と、
前記フーリエ変換部が出力した各前記サブキャリア信号について伝送路応答を夫々推定する伝送路応答推定部とが設けられており、
各ブランチの前記フロントエンド部から、該フロントエンド部において得られる前記受信信号の強度が入力され、各ブランチの前記受信信号の強度の大小関係に応じて、前記受信信号の強度が小さいブランチほど小さくなる補正係数を求める補正係数算出部と、
前記補正係数算出部と、各ブランチの前記フーリエ変換部と前記伝送路応答推定部と接続されており、サブキャリア毎に、前記伝送路応答推定部により推定された各ブランチの前記伝送路応答に基づいて各ブランチの前記サブキャリア信号を重付加算することにより最大比合成して合成信号を得る際に、前記補正係数算出部により算出された各前記補正係数で重付係数を補正する合成部とを備える、
受信装置。
【請求項１３】
前記合成部は、合成演算式に従った演算により各ブランチの前記サブキャリア信号を合成するものであり、
前記合成演算式は、前記最大比合成する場合の演算式である最大比合成演算式における、各ブランチの前記伝送路応答に夫々対応する項により構成された多項式である分子部分と分母部分の各前記項に、前記補正係数算出部により該項に対応するブランチに対して算出した前記補正係数を乗算して得た式である、
請求項１２に記載の受信装置。
【請求項１４】
前記合成部は、前記伝送路応答推定部により推定された各ブランチの前記伝送路応答を、前記補正係数算出部により算出された該ブランチの前記補正係数を乗算することにより補正し、補正後の各ブランチの前記伝送路応答を用いて、各ブランチの前記サブキャリア信号を最大比合成する際の重付係数を算出する、
請求項１２に記載の受信装置。
【請求項１５】
前記補正係数算出部は、前記受信信号のフレームの先頭に設けられた同期信号の強度を、該フレーム含まれる各シンボルの前記受信信号の強度として用いる、
請求項１２から１４のいずれか１項に記載の受信装置。
【請求項１６】
前記補正係数算出部は、前記フロントエンド部において前記ＡＧＣ処理時に得られる前記受信信号のフレームにおけるショート・プリアンブルの強度を前記同期信号の強度として用いる、
請求項１５に記載の受信装置。
【請求項１７】
前記補正係数算出部は、
前記受信信号の強度が最も大きいブランチである最強ブランチについては、最大の補正係数を付与し、
他の各ブランチについては、前記最強ブランチとの前記強度の差分に応じて、前記最大の補正係数以下の前記補正係数を求める、
請求項１６に記載の受信装置。
【請求項１８】
前記補正係数算出部は、前記他の各ブランチについて、前記最強ブランチの前記強度が大きいほど大きくなるように前記補正係数を求める、
請求項１７に記載の受信装置。
【請求項１９】
複数の閾値により規定された複数の強度範囲毎に設定された、前記強度の差分と前記補正係数との対応関係を示す複数のＬＵＴ（Ｌｏｏｋ  Ｕｐ  Ｔａｂｌｅ）をさらに備え、
夫々の前記ＬＵＴにおいて、前記強度の差分が大きいほど前記補正係数が小さくなり、
前記複数のＬＵＴ間で、同一の前記強度の差分に対して、大きい強度に対応する前記強度範囲に対して設定された前記ＬＵＴほど、該ＬＵＴにおける前記補正係数が大きくなり、
前記補正係数算出部は、前記他の各ブランチについて、前記最強ブランチの前記強度が含まれる前記強度範囲に対して設定された前記ＬＵＴを選択し、選択した前記ＬＵＴで前記補正係数を求める、
請求項１８に記載の受信装置。
【請求項２０】
前記合成部が得た前記合成信号に対して、復号を含む処理を行うバックエンド部をさらに備え、
前記補正係数算出部は、前記バックエンド部により得られた復号の結果についてのＣＲＣ（Ｃｙｃｌｉｃ  Ｒｅｄｕｎｄａｎｃｙ  Ｃｈｅｃｋ）処理の結果に基づいて、前記複数の閾値を調整可能である、
請求項１９に記載の受信装置。
【発明の詳細な説明】
【技術分野】
【０００１】
本発明は受信技術、例えばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式の伝送信号をダイバシティ受信する技術に関する。
【背景技術】
【０００２】
ＯＦＤＭ方式は、送信信号を複数の搬送波に分割して送信するマルチキャリア伝送方式の１つであり、デジタルテレビ放送など、様々な分野で用いられている。
【０００３】
ＯＦＤＭ方式を採用した携帯端末や車載受信装置などにおいて、受信品質の向上を図るために、ダイバシティ受信が行われている。
【０００４】
ＯＦＤＭ方式の伝送信号をダイバシティ受信する受信装置は、各ブランチの受信信号に対して夫々フーリエ変換を行い、１シンボルにつき、ブランチ毎に、図１５に示すような、「−２６」番から「＋２６」番までの５２個の周波数が異なるサブキャリアに夫々対応する５２個のサブキャリア信号を得る。そして、ＭＲＣ（Ｍａｘｉｍｕｍ  Ｒａｔｉｏ  Ｃｏｍｂｉｎｉｎｇ：最大比合成）と呼ばれるアルゴリズムによりサブキャリア毎に各ブランチのサブキャリア信号を合成して合成信号を得る。なお、フーリエ変換の前に、受信信号に対して、キャリア周波数誤差を補正するＡＦＣ（Ａｕｔｏｍａｔｉｃ  Ｆｒｅｑｕｅｎｃｙ  Ｃｏｎｔｒｏｌ）なども行われる。
【０００５】
また、フーリエ変換を高速に行うアルゴリズムとして、ＦＦＴ（Ｆａｓｔ  Ｆｏｕｒｉｅｒ  Ｔｒａｎｓｆｏｒｍ：高速フーリエ変換）が知られており、通常、上記受信装置において、フーリエ変換として、ＦＦＴ演算が行われる。
【０００６】
このような受信装置に対して、様々な視点からの技術が提案されている。
例えば、特許文献１には、ブランチ毎での周波数誤差推定値のバラツキが周波数の補正に与える影響を軽減する技術が開示されている。この技術は、ＦＦＴ演算前の受信信号に対するＡＦＣの際に、各ブランチの信号の周波数誤差と信号強度を夫々検出し、信号強度に応じてこれらのブランチの受信信号の周波数誤差を重付合成し、合成された周波数誤差に基づいて各ブランチの位相を夫々補正する。
【０００７】
また、特許文献２〜４には、ＭＲＣによる合成時に工夫を加え、合成信号の品質向上を図る技術が開示されている。これらの技術の前に、まず、ＭＲＣによる合成方法を説明する。
【０００８】
ＭＲＣによる合成方法は、各ブランチのサブキャリア毎の伝送路応答（伝送路パワーまたは伝達関数とも呼ばれる）を推定し、推定したこれらの伝送路応答に基づいて、夫々のブランチのサブキャリアへの重付係数を決定する。そして、サブキャリア毎に、重み付けられた各ブランチのサブキャリア信号を合成する。例えば、ＦＦＴ演算されたｍ番目のブランチのｉ番目のシンボルのｋ番目のサブキャリア信号をＳｍ（ｉ，ｋ）で表記すると、各Ｓｍ（ｉ，ｋ）に対して重付係数Ｗｍ（ｉ，ｋ）が夫々算出され、夫々のＳｍ（ｉ，ｋ）に該Ｓｍ（ｉ，ｋ）に対応する重付係数Ｗｍ（ｉ，ｋ）が乗算されて得た結果を用いて合成がなされる。
【０００９】
重付係数Ｗｍ（ｉ，ｋ）は、式（１）で表される。式（１）において、Ｈｍ（ｉ，ｋ）は、ｍ番目のブランチのｉ番目のシンボルのｋ番目のサブキャリアの伝送路応答（伝達関数）であり、Ｈｍ＊（ｉ，ｋ）は、その複素共役を表す。また、Ｎは、ブランチの総数である。
【００１０】
2014060591.tif 000003
【００１１】
ｉ番目のシンボルのｋ番目のサブキャリアの合成信号をＤ（ｉ，ｋ）で表記すると、合成信号Ｄ（ｉ，ｋ）は、式（２）で表すことができる。
【００１２】
2014060591.tif 000004
【００１３】
式（１）に示すように、重付係数Ｗｍ（ｉ，ｋ）は、伝送路応答（伝達関数）Ｈの振幅に依存している。すなわち、ＭＲＣによる合成方法では、伝送路応答Ｈの振幅の大きい信号に大きな重付係数が乗算され、そのブランチの信号が強調される。しかし、伝送路応答Ｈの振幅が大きくても、当該ブランチの信号が強い、または、当該ブランチのＣ／Ｎ比が良いとは限らない。
【００１４】
例えば、あるブランチの信号は、Ｃ／Ｎ比が悪く、振幅も小さいが、ＡＧＣ（Ａｕｔｏ  Ｇａｉｎ  Ｃｏｎｔｒｏｌ）の働きで、振幅が大きくなり、伝送路応答Ｈの振幅が大きくなる場合がある。このような場合において、ＭＲＣによる合成方法で合成すると、Ｃ／Ｎ比の悪いブランチの信号の影響により、合成信号のＣ／Ｎ比は、Ｃ／Ｎ比の良いブランチの信号のＣ／Ｎ比より悪くなる。
【００１５】
特許文献２と特許文献３に開示された技術は、ＦＦＴ演算後の各ブランチのシンボル信号のＣ／Ｎ比（Ｃａｒｒｉｅｒ  ｔｏ  Ｎｏｉｓｅ  Ｒａｔｉｏ）、またはこれらのＣ／Ｎ比の相対比に基づいた重付値（特許文献２と特許文献３における第１の重付値）を算出すると共に、該ブランチのシンボル信号と、該ブランチについて推定した伝送路応答Ｈに該重付値を夫々乗算した後に、ＭＲＣによる合成を行う。
【００１６】
特許文献４に開示された技術は、ＦＦＴ演算後にＭＥＲ（Ｍｏｄｕｌａｔｉｏｎ  Ｅｒｒｏｒ  Ｒａｔｉｏ）を算出することにより妨害波のレベルを判定し、判定したレベルに応じた重付値で各サブキャリアの信号を重み付けた後にＭＲＣ合成を行う。
【先行技術文献】
【特許文献】
【００１７】
【特許文献１】特開２００６−１０１２４５号公報
【特許文献２】特開２００６−８０６２４号公報
【特許文献３】特開２００６−２５３９１５号公報
【特許文献４】特開２０１０−２２６２３３号公報
【発明の概要】
【発明が解決しようとする課題】
【００１８】
特許文献２と特許文献３に開示された技術は、ＦＦＴ演算後のシンボル毎にＣ／Ｎ比を求めるため、演算量が多く、受信装置の回路規模が大きくなるという問題がある。
【００１９】
特許文献４に開示された技術は、ＦＦＴ演算後にサブキャリア毎にＭＥＲを求めるため、特許文献２と特許文献３に開示された技術と同様に、演算量が多く、受信装置の回路規模が大きくなるという問題がある。
【００２０】
その他の課題と新規な特徴は、本明細書の記述および添付図面から明らかになるであろう。
【課題を解決するための手段】
【００２１】
一実施の形態によれば、ＯＦＤＭ方式の伝送信号をダイバシティ受信する受信装置は、各ブランチの受信信号に対してフーリエ変換を行って得た各ブランチのサブキャリア信号をサブキャリア毎に最大比合成する際に、フーリエ変換前の各ブランチの受信信号の強度の大小関係に応じて、夫々のブランチの重付係数を補正する。具体的には、該受信装置は、受信信号の強度が小さいブランチほど、該ブランチのサブキャリア信号に対して推定した伝送路応答の影響を弱めるようにして、夫々のブランチの重付係数を補正する。
【００２２】
なお、上記実施の形態の受信装置を方法やシステムに置き換えて表現したもの、これらの受信装置またはこれらの受信装置の一部の処理をコンピュータに実行させるプログラム、これらの受信装置を備えた通信装置、これらの受信装置や通信装置を備えた通信システムなども、本発明の態様としては有効である。
【発明の効果】
【００２３】
上記実施の形態の受信装置によれば、少ない演算量または小さな回路規模で、ＯＦＤＭ方式の伝送信号をダイバシティ受信する際に行う最大比合成により得られる合成信号の品質を向上させることができる。
【図面の簡単な説明】
【００２４】
【図１】第１の実施の形態にかかる受信装置を示す図である。
【図２】図１に示す受信装置における合成部の構成例を示す図である。
【図３】ＯＦＤＭ方式の伝送信号のフレームフォーマットを示す図である。
【図４】第２の実施の形態にかかる受信装置を示す図である。
【図５】図４に示す受信装置におけるフロントエンド部を示す図である。
【図６】第３の実施の形態にかかる受信装置を示す図である。
【図７】図６に示す受信装置の補正係数算出部が用いるＬＵＴの例を示す図である。
【図８】図６に示す受信装置の補正係数算出部による補正係数の算出処理を示すフローチャートである。
【図９】第４の実施の形態にかかる受信装置を示す図である。
【図１０】図９に示す受信装置における補正係数算出部を示す図である。
【図１１】図１０に示す補正係数算出部がＬＵＴを選択する際に用いる閾値の決定手法を説明するための図である。
【図１２】図１０に示す補正係数算出部による閾値の決定処理を示すフローチャートである。
【図１３】第５の実施の形態にかかる通信システムを示す図である。
【図１４】図１３に示す通信システムにおける通信装置を示す図である。
【図１５】ＦＦＴ変換により得られる各サブキャリア信号を示す図である。
【発明を実施するための形態】
【００２５】
説明の明確化のため、以下の記載及び図面は、適宜、省略、及び簡略化がなされている。また、様々な処理を行う機能ブロックとして図面に記載される各要素は、ハードウェア的には、ＣＰＵ、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。なお、各図面において、同一の要素には同一の符号が付されており、必要に応じて重複説明は省略されている。
【００２６】
また、上述したプログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒｙ）ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００２７】
また、以下の実施の形態のいずれも、ＯＦＤＭ方式の伝送信号をダイバシティ受信する技術に関し、例として、ブランチの総数が２である。勿論、これらの実施の形態にかかる技術は、ブランチの総数が２以上の任意の数である場合にも適用することができる。
【００２８】
＜第１の実施の形態＞
図１は、第１の実施の形態にかかる受信装置１００を示す。受信装置１００は、ＯＦＤＭ方式の伝送信号をダイバシティ受信するものであり、第１のブランチについては、アンテナ１１０、フロントエンド部１１２、ＦＦＴ演算部１１４、伝送路応答推定部１１６を備え、第２のブランチについては、アンテナ１２０、フロントエンド部１２２、ＦＦＴ演算部１２４、伝送路応答推定部１２６を備える。受信装置１００は、さらに、補正係数算出部１３０、合成部１４０を備える。なお、この種の受信装置に通常備えられる他の機能ブロック、例えば、合成部１４０が出力した合成信号Ｄに対してビタビ復号を行う復号器などは、図１において省略している。
【００２９】
まず、受信装置１００に対して、第１のブランチについて説明する。
アンテナ１１０により受信した信号（第１のブランチの受信信号Ｒ１）は、フロントエンド部１１２に入力される。フロントエンド部１１２は、受信信号Ｒ１に対して、Ａ／Ｄ変換、ＡＧＣ処理、フィルタ処理、ＣＦＯ推定（ＣＦＯ：ＣＡＲＲＩＥＲ  ＦＲＥＱＵＥＮＣＹ  ＯＦＦＳＥＴ）、同期処理などを行う。フロントエンド部１１２により得られたデジタル信号は、ＦＦＴ演算部１１４に入力される。
【００３０】
フーリエ変換部としてのＦＦＴ演算部１１４は、フロントエンド部１１２からのデジタル信号に対してＦＦＴ演算を行って、第１のブランチの時間領域のＯＦＤＭシンボル信号を周波数領域のＯＦＤＭシンボル信号に変換する。ＦＦＴ演算部１１４により得られた１つのＯＦＤＭシンボル信号は、複数（例えば５２個）のサブキャリアに夫々対応する複数の信号（サブキャリア信号）を含む。以下、第１のブランチの各サブキャリア信号を「Ｓ１」で表記する。
【００３１】
ＦＦＴ演算部１１４により得られた各サブキャリア信号Ｓ１は、合成部１４０に入力されると共に、伝送路応答推定部１１６にも入力される。
【００３２】
伝送路応答推定部１１６は、各サブキャリア信号Ｓ１について、伝送路応答を夫々推定して合成部１４０に出力する。伝送路応答推定部１１６により得られた伝送路応答を、「Ｈ１」で表記する。
【００３３】
第２のブランチについても同様に、まず、アンテナ１２０により受信した信号（第２のブランチの受信信号Ｒ２）は、フロントエンド部１２２に入力される。フロントエンド部１２２は、フロントエンド部１１２と同様に、受信信号Ｒ２に対して、Ａ／Ｄ変換、ＡＧＣ処理、フィルタ処理、ＣＦＯ推定、同期処理などを行う。フロントエンド部１２２により得られたデジタル信号は、ＦＦＴ演算部１２４に入力される。
【００３４】
フーリエ変換部としてのＦＦＴ演算部１２４は、フロントエンド部１２２からのデジタル信号に対してＦＦＴ演算を行って、第２のブランチの時間領域のＯＦＤＭシンボル信号を周波数領域のＯＦＤＭシンボル信号に変換する。ＦＦＴ演算部１２４により得られた１つのＯＦＤＭシンボル信号も、複数のサブキャリアに夫々対応する複数のサブキャリア信号を含む。以下、第２のブランチの各サブキャリア信号を「Ｓ２」で表記する。
【００３５】
ＦＦＴ演算部１２４により得られた各サブキャリア信号Ｓ２は、合成部１４０に入力されると共に、伝送路応答推定部１２６にも入力される。
【００３６】
伝送路応答推定部１２６は、各サブキャリア信号Ｓ２について、伝送路応答を夫々推定して合成部１４０に出力する。伝送路応答推定部１２６により得られた伝送路応答を、「Ｈ２」で表記する。
【００３７】
合成部１４０は、ＦＦＴ演算部１１４が出力するサブキャリア信号Ｓ１と、ＦＦＴ演算部１２４が出力するサブキャリア信号Ｓ２とに対して、サブキャリア毎に、合成を行って合成信号Ｄを得る。
【００３８】
従来のこの種の受信装置では、合成部１４０に対応する機能ブロックは、最大比合成（以下「ＭＲＣ合成」という）により、伝送路応答Ｈ１と伝送路応答Ｈ２からブランチ毎に重付係数を求めてサブキャリア信号Ｓ１とサブキャリア信号Ｓ２を重付加算する。最大比合成による重付加算の演算式を、以下「最大比合成演算式」という。この最大比合成演算式は、式（３）である。なお、式（３）は、前述した式（２）を２ブランチの場合に適用したものであり、式（３）における「ｉ」と「ｋ」は、シンボルの番号とサブキャリアの番号を夫々示し、「ｍ」と「ｊ」は、ブランチの番号を示す。これに関して、以降の各式においても同様である。
【００３９】
2014060591.tif 000005
【００４０】
式（３）から分かるように、従来のこの種の受信装置において、ＭＲＣ合成時の重付係数は、各ブランチの伝送路応答に基づいて算出されている。
【００４１】
対して、本実施の形態の受信装置１００は、補正係数算出部１３０をさらに備え、合成部１４０が、補正係数算出部１３０により夫々のブランチに対して得た補正係数（α１（ｉ）、α２（ｉ））で式（３）に示す重付係数を補正した上で重付加算を行う。合成部１４０による具体的な演算の前に、まず、補正係数算出部１３０を説明する。
【００４２】
補正係数算出部１３０は、各ブランチの受信信号（受信信号Ｒ１、受信信号Ｒ２）の強度の大小関係に応じて、受信信号の強度が小さいブランチほど小さくなる補正係数を求める。補正係数算出部１３０により求められた第１のブランチと第２のブランチの補正係数は、夫々、第１の補正係数α１と第２の補正係数α２である。
【００４３】
補正係数の算出に際して、補正係数算出部１３０は、例えば、受信信号の強度が最も大きいブランチ（以下「最強ブランチ」という）については、最大の補正係数を付与し、他の各ブランチについては、最強ブランチとの強度の差分に応じて、最大の補正係数以下の補正係数を求める。ここで、最大の補正係数が「１」であるとした場合を例にして説明する。
【００４４】
まず、Ａ／Ｄ変換前の受信信号Ｒ１と受信信号Ｒ２から受信信号強度を測定する場合を説明する。Ａ／Ｄ変換前のアナログ信号では、何番目のシンボルであるかが分からないため、測定した受信信号強度から算出した補正係数を以降の全てのシンボルに適用することが考えられる。
【００４５】
この場合、補正係数算出部１３０は、例えば、下記の式（４Ａ）に従って、第１の補正係数α１と第２の補正係数α２を算出する。
【００４６】
2014060591.tif 000006
【００４７】
式（４Ａ）において、「Ｑ１」と「Ｑ２」は、夫々、受信信号Ｒ１と受信信号Ｒ２の受信信号強度であり、「ｄｉｆｆＡ」は、受信信号強度Ｑ１と受信信号強度Ｑ２の差分の絶対値を示す。
【００４８】
式（４Ａ）から分かるように、受信信号強度が大きいブランチ（最強ブランチ）が第１のブランチである場合（Ｑ１＞＝Ｑ２）、補正係数算出部１３０は、第１のブランチに最大の補正係数「１」を付与するため、第１の補正係数α１が「１」になる。また、補正係数算出部１３０は、第２のブランチについては、「ｄｉｆｆＡ」から第２の補正係数α２を算出する。
【００４９】
一方、最強ブランチが第２のブランチである場合に（「ｅｌｓｅ」すなわち「Ｑ１＜Ｑ２」、補正係数算出部１３０は、第２のブランチに最大の補正係数「１」を付与するため、第２の補正係数α２（ｉ）が「１」になる。また、補正係数算出部１３０は、第１のブランチについては、「ｄｉｆｆＡ」から第１の補正係数α１を算出する。
【００５０】
例えば、Ａ／Ｄ変換前の受信信号Ｒ１と受信信号Ｒ２に対して受信信号強度の測定を連続的に測定し、強度の変化が無い間には、測定した受信信号強度から求められた補正係数を全てのシンボルに適用する。一方、受信信号強度が変化した場合には、それ以降のシンボルについては、変化後の受信信号強度から求められた補正係数を適用すればよい。
【００５１】
または、Ａ／Ｄ変換前の受信信号Ｒ１と受信信号Ｒ２に対して受信信号強度の測定を所定の間隔を置いて定期的に測定し、測定の度に、補正係数を更新するようにしてもよい。
【００５２】
より良い補正効果を得るためには、シンボル毎に、各ブランチの受信信号の受信信号強度を測定し、シンボル毎に補正係数を求めることが好ましい。この場合、受信信号の強度の測定がＡ／Ｄ変換乃至同期処理後に行われる。
【００５３】
具体的には、例えば、フロントエンド部１１２とフロントエンド部１２２がＡＧＣ処理をする際に得られる受信信号強度を基に各ブランチの夫々のシンボルの受信信号強度を取得することができる。ＡＧＣ処理をする際に得られる受信信号強度は、各フレームの先頭の同期信号に含まれるショート・プリアンブルの受信信号強度に該当するため、各フレームについて、ショート・プリアンブルからの時間経過と共に受信電力の変動量を測定して該フレームの受信信号強度に加算することにより、該フレームの各シンボルの受信信号強度を求めることができる。ＡＧＣ処理時に得られる受信信号強度については、後に第２の実施の形態において詳細に説明する。
【００５４】
この場合、補正係数算出部１３０は、例えば、下記の式（４Ｂ）に従って、第１の補正係数α１と第２の補正係数α２を算出する。
【００５５】
2014060591.tif 000007
【００５６】
式（４Ｂ）において、「Ｑ１（ｉ）」と「Ｑ２（ｉ）」は、夫々、Ａ／Ｄ変換後の受信信号Ｒ１と受信信号Ｒ２におけるｉ番目のシンボルの強度であり、「ｄｉｆｆＡ（ｉ）」は、強度Ｑ１（ｉ）と強度Ｑ２（ｉ）の差分の絶対値を示す。
【００５７】
式（４Ｂ）から分かるように、最強ブランチが第１のブランチである場合（Ｑ１（ｉ）＞＝Ｑ２（ｉ））、補正係数算出部１３０は、第１のブランチに最大の補正係数「１」を付与するため、第１の補正係数α１（ｉ）が「１」になる。また、補正係数算出部１３０は、第２のブランチについては、「ｄｉｆｆＡ（ｉ）」から第２の補正係数α２（ｉ）を算出する。
【００５８】
一方、最強ブランチが第２のブランチである場合に（「ｅｌｓｅ」すなわち「Ｑ１（ｉ）＜Ｑ２（ｉ）」、補正係数算出部１３０は、第２のブランチに最大の補正係数「１」を付与するため、第２の補正係数α２（ｉ）が「１」になる。また、補正係数算出部１３０は、第１のブランチについては、「ｄｉｆｆＡ（ｉ）」から第１の補正係数α１（ｉ）を算出する。
【００５９】
なお、受信信号Ｒ１と受信信号Ｒ２におけるｉ番目のシンボルの強度であるＱ１（ｉ）とＱ２（ｉ）は、例えば、当該シンボルの時間軸における平均強度や、当該シンボルの任意の位置例えば先頭や中間点の強度などとすることができる。
【００６０】
合成部１４０は、サブキャリア信号Ｓ１とＳ２を重付加算することにより合成する際に、補正係数算出部１３０により求められた補正係数が小さいブランチほど、該ブランチのサブキャリア信号の伝送路応答の影響を弱めるようにして重付係数を求めて合成を行う。ここで、合成部１４０による合成手法の具体例をいくつか説明する。なお、合成部１４０による演算を示す式を、以下「合成演算式」という。
【００６１】
例えば、合成部１４０は、最大比合成演算式（式（３））の分子と分母の各項を、補正係数算出部１３０により該項に対応するブランチに対して算出した補正係数で補正する。
【００６２】
具体的には、例えば、合成演算式である式（５）に示すように、最大比合成演算式の分子と分母の各項に、該項に対応するブランチの補正係数を乗算する。
【００６３】
2014060591.tif 000008
【００６４】
または、合成部１４０は、式（６）に示す合成演算式のように、各ブランチの伝送路応答を、該ブランチの補正係数を乗算することにより補正し、補正後の各ブランチの伝送路応答を用いて、各ブランチのサブキャリア信号を最大比合成するようにしてもよい。
【００６５】
2014060591.tif 000009
【００６６】
図２は、合成部１４０の構成例を示す。図２に示す合成部１４０は、式（５）に示す演算によりサブキャリア信号Ｓ１とサブキャリア信号Ｓ２を重付加算するものであり、乗算部１５１、電力算出部１５２、乗算器１５３、乗算器１５４、乗算器１６１、電力算出部１６２、乗算器１６３、乗算器１６４、加算器１７１、加算器１７２、除算器１７３を有する。
【００６７】
乗算部１５１は、サブキャリア信号Ｓ１と、伝送路応答Ｈ１の複素共役とを乗算して乗算器１５３に出力する。電力算出部１５２は、伝送路応答Ｈ１の振幅の２乗（｜Ｈ１｜２）を算出して乗算器１５４に出力する。乗算器１５３は、補正係数算出部１３０からの第１の補正係数α１と、乗算部１５１の出力とを乗算して加算器１７１に出力する。乗算器１５３の出力は、式（５）の分子部分の２つの項のうちの１項である。また、乗算器１５４は、第１の補正係数α１と、電力算出部１５２の出力とを乗算して加算器１７２に出力する。乗算器１５４の出力は、式（５）の分母部分の２つの項のうちの１項である。
【００６８】
乗算器１６１は、サブキャリア信号Ｓ２と、伝送路応答Ｈ２の複素共役とを乗算して乗算器１６３に出力する。電力算出部１６２は、伝送路応答Ｈ２の振幅の２乗（｜Ｈ２｜２）を算出して乗算器１６４に出力する。乗算器１６３は、補正係数算出部１３０からの第２の補正係数α２と、乗算部１６１の出力とを乗算して加算器１７１に出力する。乗算器１６３の出力は、式（５）の分子部分の２つの項のうちの別の１項である。また、乗算器１６４は、第２の補正係数α２と、電力算出部１６２の出力とを乗算して加算器１７２に出力する。乗算器１６４の出力は、式（５）の分母部分の２つの項のうちの別の１項である。
【００６９】
加算器１７１は、乗算器１５３と乗算器１６３の出力を加算して、式（５）の分子部分を得、加算器１７２は、乗算器１５４と乗算器１６４の出力を加算して、式（５）の分母部分を得る。そして、除算器１７３は、加算器１７１の出力を加算器１７２の出力で除算して、合成信号Ｄを得る。
【００７０】
以上の説明から分かるように、合成部１４０は、各ブランチのＦＦＴ演算前の受信信号の強度の大小関係に応じて、受信信号の強度が小さいブランチほど該ブランチのサブキャリア信号に対して推定した伝送路応答の影響を弱めるようにして最大比合成の重付係数を補正する。
【００７１】
通常、受信信号の強度が小さいほど、ＳＮＲ（Ｓｉｇｎａｌ  ｔｏ  Ｎｏｉｓｅ  Ｒａｔｉｏ）が小さいと考えられる。本実施の形態にかかる受信装置１００は、サブキャリア毎に各ブランチのサブキャリア信号を最大比合成する際に、ブランチ間における受信信号の強度の大小関係に応じて、受信信号の強度が小さいブランチほど、すなわちＳＮＲが小さいブランチほど、該ブランチに対して推定した伝送路応答が重付係数に与える影響を弱めるようにすることによって、合成信号Ｄの品質向上を図ることができる。
【００７２】
また、受信装置１００は、フーリエ演算前の受信信号の強度に応じて補正係数を取得し、同一のシンボルに含まれる全てのサブキャリア信号に同一の補正係数を適用している。そのため、特許文献２〜３に開示された技術のようにシンボル毎にＣ／Ｎ比を求める必要もなければ、特許文献４に開示されたようにサブキャリア毎にＭＥＲを求める必要もなく、演算量乃至回路規模の増大を抑制することができる。
【００７３】
また、特許文献４に開示された技術は、サブキャリア毎にＭＥＲを算出する必要がある。ＭＥＲを得るためには、理想のコンスタレーション位置と、各サブキャリアのＩＱ位置（ＩＱ座標系における位置）とを比較してそれらの差を求める必要がある。変調方式がＢＰＳＫ（Ｂｉｎａｒｙ  Ｐｈａｓｅ  Ｓｈｉｆｔ  Ｋｅｙｉｎｇ：二位相偏移変調）／ＱＰＳＫ（Ｑｕａｔｅｒｎａｒｙ  Ｐｈａｓｅ  Ｓｈｉｆｔ  Ｋｅｙｉｎｇ：四位相偏移変調）である場合には、ＳＮＲが低くてもある程度の精度を保ちながらＭＥＲを判定することが可能である。しかし、例えば、変調方式がＱＡＭ（Ｑｕａｄｒａｔｕｒｅ  Ａｍｐｌｉｔｕｄｅ  Ｍｏｄｕｌａｔｉｏｎ：直角位相振幅変調）である場合には、コンスタレーション点の間隔は狭いため、ＳＮＲが低いときには、理想ではないコンスタレーション位置との比較がなされる可能性が高いため、ＭＥＲの算出精度が悪くなる。すなわち、該技術の効果は、変調方式に依存し、変調方式によっては、合成信号の品質を低下させてしまう恐れがある。
【００７４】
対して、本実施の形態の受信装置１００は、フーリエ変換前の受信信号の強度に応じて各ブランチの補正係数を求めるため、変調方式に依存せずに、合成信号の品質を高めることができる。
【００７５】
＜第２の実施の形態＞
第２の実施の形態の前に、まず、ＯＦＤＭ方式の伝送信号のフレームフォーマットを説明する。
【００７６】
図３は、ＯＦＤＭ方式の伝送信号のフレームフォーマットを示す。分かりやすいように、該図において、各領域間に設けられたＧＩ（ＧＩ：ＧＵＡＲＤ  ＩＮＴＥＲＶＡＬ）を省略している。
【００７７】
図３に示すように、ＯＦＤＭ方式の伝送信号の１フレームは、時系列に配列された同期信号部、ヘッダ（ＨＥＡＤＥＲ）、サービスデータ部を備える。同期信号部は、ショート・プリアンブル（ＳＨＯＲＴ  ＰＲＥＡＭＢＬＥ）、ロング・プリアンブル（ＬＯＮＧ  ＰＲＥＡＭＢＬＥ）を有する。ヘッダは、データレートやデータ長さなどの情報が含まれる。また、サービスデータ部は、先頭のＤＡＴＡ１から末尾のＤＡＴＡ  ＬＡＳＴまでの複数のデータ（分割データという）が含まれている。ヘッダは、１シンボルに該当し、１つの分割データの部分も、１シンボルに該当する。
【００７８】
前述した第１の実施の形態の受信装置１００は、フーリエ変換前の各ブランチの受信信号の強度の大小関係に応じて夫々のブランチの補正係数を求めて、フーリエ変換後に合成信号を得る際に用いる。
【００７９】
例えば、Ａ／Ｄ変換前の受信信号から受信強度を測定する場合に、受信装置１００は、各ブランチの受信信号の強度を測定し、測定した強度に応じて求められた補正係数を、それ以降の各シンボルの合成に用いる。
【００８０】
あるいは、例えば、各ブランチのシンボル毎に補正係数を求める場合に、受信装置１００は、あるシンボル（「ＤＡＴＡ１」とする）について、各ブランチのシンボル「ＤＡＴＡ１」の強度の大小関係に応じてブランチ毎に補正係数を求め、そして、フーリエ演算後に、該シンボル「ＤＡＴＡ１」に対して、サブキャリア毎に各ブランチのサブキャリア信号を重付加算する際に、各ブランチの重付係数を夫々のブランチに対して求められた上記補正係数で補正する。
【００８１】
また、別のシンボル（「ＤＡＴＡ２」とする）についても、各ブランチの受信信号における該シンボルの強度の大小関係に応じてブランチ毎に補正係数を求め、そして、フーリエ演算後に、該シンボル「ＤＡＴＡ２」に対して、サブキャリア毎に各ブランチのサブキャリア信号を重付加算する際に、各ブランチの重付係数を夫々のブランチに対して求められた上記補正係数で補正する。
【００８２】
すなわち、この場合、受信装置１００は、シンボル毎に各ブランチの補正係数を求め、求められた各補正係数を、該シンボルに対応するサブキャリア信号の合成に用いている。
【００８３】
上記補正係数は、シンボル毎ではなく、フレーム毎に求めてもよい。例えば、フーリエ変換前、同期処理後の各ブランチの相対応する各フレームの強度の大小関係に応じて、フレームの強度が小さいブランチほど小さい補正係数を求める。そして、サブキャリア信号の合成に際して、上記にて求められた各補正係数を、該フレームの全シンボルに適用する。
【００８４】
「フレームの強度」は、例えば、フレームにおける所定の部位（例えば同期信号部）の強度とすることができる。
【００８５】
こうすることにより、１フレームについて１つの補正係数を算出すればよいので、シンボル毎に補正係数を求める場合より演算量を減らすことができる。
【００８６】
さらに望ましくは、ショート・プリアンブルの強度をフレームの強度として、各ブランチのショート・プリアンブルの強度から補正係数を求め、当該フレームの全シンボルに適用する。こうした場合、補正係数を求めるための演算量も回路規模をより抑制することができる。これについての理由を説明する。
【００８７】
ＯＦＤＭ方式の伝送信号を受信する受信装置では、受信信号は、Ａ／Ｄ変換によりデジタル信号に変換されてからフーリエ変換に供される。通常、復調しやすい最適な振幅のサブキャリア信号を得るために、Ａ／Ｄ変換に際して、ＡＧＣ（Ａｕｔｏ  Ｇａｉｎ  Ｃｏｎｔｒｏｌ）と呼ばれる処理によりゲインの調整が行われる。
【００８８】
上記ＡＧＣは、ショート・プリアンブルの部分の信号に基づいて行われる。すなわち、ショート・プリアンブルの強度に応じて、該フレームのＡ／Ｄ変換時のゲインが決まる。
【００８９】
すなわち、上記ＡＧＣに際して、ショート・プリアンブルの受信信号強度が得られている。そのため、ＡＧＣの時に得られるショート・プリアンブルの受信信号強度を用いて補正係数を求めると、受信信号の強度を得るための手段を別途設ける必要が無くなり、演算量と回路規模を小さくすることができる。
【００９０】
以上を踏まえて、第２の実施の形態を説明する。
図４は、第２の実施の形態にかかる受信装置２００を示す。受信装置２００も、ＯＦＤＭ方式の伝送信号をダイバシティ受信するものであり、補正係数算出部１３０と合成部１４０の代わりに補正係数算出部２３０と合成部２４０が設けられたことを除き、受信装置１００と同様である。そのため、受信装置２００について、補正係数算出部２３０と合成部２４０に関連がある点についてのみ説明する。
【００９１】
受信装置２００において、補正係数算出部２３０は、フロントエンド部１１２とフロントエンド部１２２がＡＧＣ処理を行う際に得られる受信信号強度に基づいて、フレーム毎に、各ブランチの補正係数を求めて合成部２４０に出力する。
【００９２】
以下、フロントエンド部１１２とフロントエンド部１２２がＡＧＣ処理を行う際に得られる受信信号強度を夫々ＲＳＳＩ１（ｎ）とＲＳＳＩ２（ｎ）で表記し、補正係数算出部２３０が第１のブランチと第２のブランチに対して算出した補正係数を夫々α１（ｎ）とα２（ｎ）で表記する。ｎは、フレームの番号を示す。
【００９３】
フロントエンド部１１２とフロントエンド部１２２は、この種の受信装置に通常備えられているものと同様であり、それらの構成について、フロントエンド部１１２を代表にして説明する。
【００９４】
図５は、フロントエンド部１１２を示す。フロントエンド部１１２は、Ａ／Ｄ変換部２１１、ＡＧＣ部２１２、フィルタ２１３、ＬＰ位置推定部２１４、ＡＦＣ部２１５、位相補正部２１６を備える。
【００９５】
Ａ／Ｄ変換部２１１は、図中ＡＤＣであり、第１のブランチの受信信号Ｒ１をデジタル信号に変換する。
【００９６】
ＡＧＣ部２１２は、Ａ／Ｄ変換部２１１が出力したデジタル信号におけるショート・プリアンブルの部分の振幅に基づいてＡＧＣを行い、Ａ／Ｄ変換部２１１に供される受信信号Ｒ１のゲインを調整する。また、ＡＧＣに際して、ＡＧＣ部２１２は、ＲＳＳＩ１（ｎ）を得る。本実施の形態において、このＲＳＳＩ１（ｎ）は、補正係数算出部２３０に出力される。
【００９７】
フィルタ２１３は、ローパスフィルタであり、Ａ／Ｄ変換部２１１からのデジタル信号をフィルタリングしてＬＰ位置推定部２１４（ＬＰ：Ｌｏｎｇ  Ｐｒｅａｍｂｌｅ）とＡＦＣ部２１５に出力する。
【００９８】
ＬＰ位置推定部（図中ＴＤ：ＴＩＭＩＮＧ  ＤＥＴＥＣＴＩＯＮ）２１４は、フィルタ２１３が出力した信号からショート・プリアンブルの末尾位置を検出してロング・プリアンブルのスタート位置を推定してＦＦＴ演算部１１４に通知する。
【００９９】
ＡＦＣ部（図中ＡＦＣ：Ａｕｔｏｍａｔｉｃ  Ｆｒｅｑｕｅｎｃｙ  Ｃｏｎｔｒｏｌ）２１５は、フィルタ２１３が出力した信号におけるショート・プリアンブルとロング・プリアンブルを用いて、ＣＦＯを推定する。
【０１００】
位相補正部（図中ＰＳ：ＰＨＡＳＥ  ＳＨＩＦＴ）２１６は、ＡＦＣ部２１５により推定されたＣＦＯに基づいて、フィルタ２１３が出力した信号に対して位相補正を行う。
【０１０１】
ＬＰ位置推定部２１４により推定されたロング・プリアンブルのスタート位置を示す情報と、位相補正部２１６により位相補正された信号は、ＦＦＴ演算部１１４に入力される。ＦＦＴ演算部１１４は、ＬＰ位置推定部２１４により推定されたロング・プリアンブルのスタート位置に基づいて、フィルタ２１３が出力した信号に対してＦＦＴ演算を行って、該フレームの各シンボルのサブキャリア信号Ｓ１を得る。
【０１０２】
フロントエンド部１２２は、第２のブランチの受信信号Ｒ２に対して、フロントエンド部１１２と同様の処理を行う。その結果、フロントエンド部１２２からＲＳＳＩ２（ｎ）が得られる。このＲＳＳＩ２（ｎ）も、補正係数算出部２３０に出力される。
【０１０３】
図４に戻って説明する。
補正係数算出部２３０は、フレーム毎に、ＲＳＳＩ１（ｎ）とＲＳＳＩ２（ｎ）の大小関係に応じて、受信信号強度が小さいブランチほど小さくなる補正係数を求める。
【０１０４】
例えば、補正係数算出部２３０は、受信信号強度が最も大きいブランチ（最強ブランチ）については、最大の補正係数を付与し、他の各ブランチについては、最強ブランチとの強度の差分に応じて、最大の補正係数以下の補正係数を求める。ここで、最大の補正係数が「１」であるとした場合を例にして説明する。
【０１０５】
この場合、補正係数算出部２３０は、例えば、下記の式（７）に従って、第１の補正係数α１（ｎ）と第２の補正係数α２（ｎ）を算出する。
【０１０６】
2014060591.tif 000010
【０１０７】
式（７）から分かるように、ｎ番目のフレームについて、最強ブランチが第１のブランチである場合（ＲＳＳＩ１（ｎ）＞＝ＲＳＳＩ２（ｎ））、補正係数算出部２３０は、第１のブランチに最大の補正係数「１」を付与するため、第１の補正係数α１（ｎ）が「１」になる。また、補正係数算出部２３０は、第２のブランチについては、ＲＳＳＩ１（ｎ）とＲＳＳＩ２（ｎ）の差分の絶対値「ｄｉｆｆＡ（ｎ）」から補正係数（α２（ｎ））を算出する。
【０１０８】
一方、最強ブランチが第２のブランチである場合に（「ｅｌｓｅ」すなわち「ＲＳＳＩ１（ｎ）＜ＲＳＳＩ２（ｎ）」、補正係数算出部２３０は、第２のブランチに最大の補正係数「１」を付与するため、第２の補正係数α２（ｎ）が「１」になる。また、補正係数算出部２３０は、第１のブランチについては、「ｄｉｆｆＡ（ｎ）」から補正係数（α１（ｎ））を算出する。
【０１０９】
合成部２４０は、サブキャリア信号Ｓ１とＳ２を重付加算することにより合成する際に、補正係数算出部２３０により求められた補正係数が小さいブランチほど、該ブランチのサブキャリア信号の伝送路応答の影響を弱めるようにして重付係数を求めて合成を行う。
【０１１０】
受信装置１００において、合成部１４０は、補正係数算出部１３０によりシンボル毎に算出された補正係数を当該シンボルの各サブキャリアに適用する。対して、合成部２４０は、補正係数算出部２３０によりフレーム毎に算出された補正係数を、当該フレームの全てのシンボルの各サブキャリアに適用する。この点を除き、合成部２４０による具体的な合成手法は、合成部１４０と同様である。
【０１１１】
式（８）〜（９）は、合成部２４０が合成時に用いる合成演算式の例である。これらの式は、合成部１４０による合成演算式（式（５）、（６））に夫々対応する。
【０１１２】
2014060591.tif 000011
【０１１３】
2014060591.tif 000012
【０１１４】
式（８）〜（９）から分かるように、合成部２４０では、補正係数算出部２３０によりフレーム毎に求められた補正係数（α１（ｎ）、α２（ｎ））は、当該フレームの全てのシンボルの全てのサブキャリアに適用されている。
【０１１５】
このように、受信装置２００は、受信装置１００の各効果を得ることができると共に、受信装置１００より、さらに、演算量を減らすことができる。
【０１１６】
＜第３の実施の形態＞
受信電力（受信信号の強度）が全般的に低い環境において、いずれのブランチの受信信号のＳＮＲも比較的に低いため、最大比合成により得られた合成信号の品質は、これらのブランチのうちのＳＮＲが低い方のブランチの影響により劣化してしまう。上述した受信装置１００と受信装置２００は、各ブランチの受信信号の強度の大小関係に応じた補正係数で最大比合成演算式の各項を補正することにより、この問題を解決している。
【０１１７】
一方、受信電力が全般的に高い環境には、いずれのブランチのＳＮＲも比較的に高くなる。そのため、あるブランチについて、受信電力が高い環境と受信電力が低い環境で比較すると、該ブランチの受信電力と最強ブランチの受信電力との差分が同じであっても、該ブランチが合成信号を劣化させる程度は、受信電力の高い環境の場合において低くなる。
【０１１８】
また、携帯端末や車載受信装置など、フェージングが発生する環境では、ブランチ間において、受信信号の同期信号部の強度の大小関係と、サービスデータ部の受信信号の強度の大小関係とは、必ずしも一致するとは限らない。そのため、各ブランチの相対応するフレームの受信信号の同期信号部の強度の大小関係に応じて求められた補正係数を該フレームの全シンボルに適用すると、反って合成信号の品質を劣化させてしまう可能性がある。この問題は、受信電力の高い環境ほど顕著になる。
【０１１９】
第３の実施の形態にかかる受信装置３００は、この問題を解決するために受信装置２００に対して改良を加えたものである。図６に示すように、受信装置３００は、補正係数算出部２３０の代わりに補正係数算出部３３０が設けられた点を除き、受信装置２００と同様である。そのため、受信装置３００について、補正係数算出部３３０のみを説明する。
【０１２０】
補正係数算出部３３０の具体的な構成の前に、まず、補正係数算出部３３０による補正係数の算出手法を説明する。
【０１２１】
補正係数算出部３３０は、受信装置２００における補正係数算出部２３０と同様に、フレーム毎に、各ブランチの受信信号の強度に基づいて夫々のブランチの補正係数を求める。また、受信信号の強度が最も大きいブランチ（最強ブランチ）については、最大の補正係数「１」を付与し、他の各ブランチについては、最強ブランチとの受信信号の強度の差分に応じて、１以下となる補正係数を求める点においても、補正係数算出部２３０と同様である。
【０１２２】
補正係数算出部２３０の場合、最強ブランチとの受信信号の強度の差分が同一であれば、同一の補正係数が求められる。対して、補正係数算出部３３０の場合には、最強ブランチとの受信信号の強度の差分が同一であっても、最強ブランチの受信信号の強度そのものが異なるときには、異なる補正係数が求められる。
【０１２３】
具体的には、補正係数算出部３３０は、最強ブランチ以外の各ブランチ間において、最強ブランチとの受信信号の強度の差分が大きいほど補正係数が小さくなる条件下で、最強ブランチの受信信号の強度が大きいほど大きくなるように補正係数を求める。式（１０）は、補正係数算出部３３０による計算方法の一例を示す。
【０１２４】
2014060591.tif 000013
【０１２５】
式（１０）から分かるように、ｎ番目のフレームについて、最強ブランチが第１のブランチである場合（ＲＳＳＩ１（ｎ）＞＝ＲＳＳＩ２（ｎ））、補正係数算出部３３０は、第１のブランチに最大の補正係数「１」を付与するため、第１の補正係数α１（ｎ）が「１」になる。また、補正係数算出部３３０は、第２のブランチについては、ＲＳＳＩ１（ｎ）とＲＳＳＩ２（ｎ）の絶対値「ｄｉｆｆＡ（ｎ）」に対してオフセット値（式中ｏｆｆｓｅｔ）を減算して得たｄｉｆｆＢ（ｎ）（以下「差分Ｂ」という）から補正係数（α２（ｎ））を算出する。なお、補正係数算出部３３０は、算出した補正係数α２（ｎ）が１より大きいときには、該補正係数α２（ｎ）を「１」にする。
【０１２６】
一方、最強ブランチが第２のブランチである場合に（「ｅｌｓｅ」すなわち「ＲＳＳＩ１（ｎ）＜ＲＳＳＩ２（ｎ）」、補正係数算出部３３０は、第２のブランチに最大の補正係数「１」を付与するため、第２の補正係数α２（ｎ）が「１」になる。また、補正係数算出部３３０は、第１のブランチについては、「ｄｉｆｆＡ（ｎ）」に対してオフセット値を減算して得た差分Ｂ（ｄｉｆｆＢ（ｎ））から補正係数（α１（ｎ））を算出する。なお、補正係数算出部３３０は、算出した補正係数α１（ｎ）が１より大きいときには、該補正係数α１（ｎ）を「１」にする。
【０１２７】
式（１０）におけるオフセット値は、最強ブランチの受信信号の強度に応じて設定された０以上の値である。具体的には、最強ブランチの受信信号の強度が大きいほど、大きいオフセット値が設定される。
【０１２８】
従って、最強ブランチの受信信号の強度が大きいほど、補正係数を求める際に用いられる差分Ｂは、本来の差分ｄｉｆｆＡ（ｎ）より小さくなる。そのため、該補正係数は、ｄｉｆｆＡ（ｎ）により求められた補正係数より大きくなる。
【０１２９】
すなわち、補正係数算出部３３０は、最強ブランチの受信信号の強度を、受信環境全体の受信電力の強度を示す指標値として用い、最強ブランチの受信信号の強度が大きいほど、他の各ブランチの受信信号の強度から求められた補正係数による補正の強度を弱める。
【０１３０】
こうすることにより、合成信号を得る際に、受信環境全体の受信電力の強弱に応じて重付係数を補正することができ、ひいては、合成信号の品質をより高めることができると共に、フェージング環境においても、合成信号の品質の劣化を抑制することができる。
【０１３１】
以上を踏まえて、補正係数算出部３３０の具体的な構成を説明する。
図６に示すように、補正係数算出部３３０は、ＬＵＴ記憶部３４０とＬＵＴ選択部３５０を備える。
【０１３２】
ＬＵＴ記憶部３４０は、複数のルック・アップ・テーブル（ＬＵＴ：Ｌｏｏｋ  Ｕｐ  Ｔａｂｌｅ）を格納している。夫々のＬＵＴは、最強ブランチ以外の各ブランチの補正係数を算出するための、補正係数と、ｄｉｆｆＡとを対応付けたものである。
【０１３３】
図７は、ＬＵＴ記憶部３４０に格納された４つのＬＵＴ（ＬＵＴ１〜ＬＵＴ４）の例を示す。ＬＵＴ１は、オフセットを０ｄＢとしたときに、式（１０）に従ってｄｉｆｆＡ（最強ブランチとの受信信号の強度の差分の絶対値）毎に算出された補正係数である。ＬＵＴ２は、オフセットを５ｄＢとしたときに、式（１０）に従ってｄｉｆｆＡ毎に算出された補正係数である。ＬＵＴ３は、オフセットを１０ｄＢとしたときに、式（１０）に従ってｄｉｆｆＡ毎に算出された補正係数である。ＬＵＴ４は、オフセットを１５ｄＢとしたときに、式（１０）に従ってｄｉｆｆＡ毎に算出された補正係数である。ＬＵＴの数は、４に限られることが無いが、それ以上増やしても、シングル受信の特性に近付き過ぎるため、４つ程度が妥当である。
【０１３４】
ＬＵＴ記憶部３４０におけるＬＵＴ選択部３５０は、最強ブランチの受信信号の強度（ＲＳＳＩ（ｍａｘ））に応じて、ＬＵＴ１〜ＬＵＴ４のうちの１つを選択する。例えば、ＲＳＳＩ（ｍａｘ）が閾値Ｔ１以下である場合には、ＬＵＴ選択部３５０は、最小のオフセット（０ｄＢ）に対応するＬＵＴ（ＬＵＴ１）を選択する。
【０１３５】
また、ＲＳＳＩ（ｍａｘ）が閾値Ｔ１より大きく、閾値Ｔ２以下である場合には、ＬＵＴ選択部３５０は、２番目に小さいオフセット（５ｄＢ）に対応するＬＵＴ（ＬＵＴ２）を選択する。同様に、ＬＵＴ選択部３５０は、ＲＳＳＩ（ｍａｘ）が閾値Ｔ２より大きく、閾値Ｔ３以下である場合には、ＬＵＴ３を選択し、ＲＳＳＩ（ｍａｘ）が閾値Ｔ３より大きい場合には、最大のオフセット（１５ｄＢ）に対応するＬＵＴ４を選択する。
【０１３６】
補正係数算出部３３０は、最強ブランチについては補正係数「１」を付与し、他のブランチについては、ＬＵＴ選択部３５０により選択されたＬＵＴを用いて、ｄｉｆｆＡ（ｎ）に対応する補正係数を求める。
【０１３７】
図８は、受信装置３００における補正係数算出部３３０によりｎ番目のフレームに対して補正係数を算出する処理のフローチャートである。ｎ番目のフレームを受信すると（Ｓ１００）、補正係数算出部３３０は、フロントエンド部１１２とフロントエンド部１２２から該フレームのＲＳＳＩ１（ｎ）とＲＳＳＩ２（ｎ）を取得し、ＲＳＳＩ１（ｎ）とＲＳＳＩ２（ｎ）の差分の絶対値ｄｉｆｆＡを算出する（Ｓ１０２、Ｓ１０４）。
【０１３８】
ＲＳＳＩ１（ｎ）とＲＳＳＩ２（ｎ）間に差が無ければ（Ｓ１１０：Ｙｅｓ）、補正係数算出部３３０は、第１の補正係数α１（ｎ）と第２の補正係数α２（ｎ）のいずれにも「１」を付与する（Ｓ１１２）。その結果、合成部２４０は、該フレームの各シンボルについてサブキャリア毎に合成信号Ｄを得る際に、最大比合成演算式で合成を行う。
【０１３９】
一方、ＲＳＳＩ１（ｎ）とＲＳＳＩ２（ｎ）間に差がある場合に（Ｓ１１０：Ｎｏ）、補正係数算出部３３０は、最強ブランチが第１のブランチであるときには（Ｓ１２０：Ｙｅｓ）、ＲＳＳＩ１（ｎ）をＲＳＳＩ（ｍａｘ）として、ＲＳＳＩ１（ｎ）に基づいて、ＬＵＴ１〜ＬＵＴ４から１つのＬＵＴを選択する（Ｓ１２２）。そして、第１の補正係数α１（ｎ）に「１」を付与すると共に、ステップＳ１２２で選択したＬＵＴから、ステップＳ１０４で算出したｄｉｆｆＡに対応する補正係数を第２の補正係数α２（ｎ）として選択する（Ｓ１２４）。その結果、合成部２４０は、該フレームの各シンボルについてサブキャリア毎に合成信号Ｄを得る際に、最大比合成演算式の分子と分母における、第２のブランチに対応する各項を第２の補正係数α２（ｎ）で補正して得た合成演算式で合成を行う。
【０１４０】
最強ブランチが第２のブランチであるときには（Ｓ１２０：Ｎｏ）、補正係数算出部３３０は、ＲＳＳＩ２（ｎ）をＲＳＳＩ（ｍａｘ）として、ＲＳＳＩ２（ｎ）に基づいて、ＬＵＴ１〜ＬＵＴ４から１つのＬＵＴを選択する（Ｓ１３２）。そして、第２の補正係数α２（ｎ）に「１」を付与すると共に、ステップＳ１３２で選択したＬＵＴから、ステップＳ１０４で算出したｄｉｆｆＡに対応する補正係数を第１の補正係数α１（ｎ）として選択する（Ｓ１３４）。その結果、合成部２４０は、該フレームの各シンボルについてサブキャリア毎に合成信号Ｄを得る際に、最大比合成演算式の分子と分母における、第１のブランチに対応する各項を第１の補正係数α１（ｎ）で補正して得た合成演算式で合成を行う。
【０１４１】
＜第４の実施の形態＞
前述したように、第３の実施の形態の受信装置３００における補正係数算出部３３０は、閾値Ｔ１〜Ｔ３に基づいて、最強ブランチの受信信号の強度（ＲＳＳＩ（ｍａｘ））が属する強度範囲を特定して補正係数を算出するためのＬＵＴを選択する。ここでは、上記閾値Ｔ１〜Ｔ３の設定に関する構成を備えた実施の形態を説明する。
【０１４２】
図９は、第４の実施の形態にかかる受信装置４００を示す。受信装置４００も、ＯＦＤＭ方式の伝送信号をダイバシティ受信するものであり、ここでは、受信装置３００と異なる点についてのみ説明する。また、受信装置４００の動作についても、閾値調整時についてのみ説明する。
【０１４３】
受信装置４００では、補正係数算出部３３０の代わりに補正係数算出部４３０が設けられている。また、受信装置４００では、補正係数算出部４３０が、閾値Ｔ１〜Ｔ３を調整する際に合成信号Ｄの復号結果を使用するため、図９において、合成信号Ｄの復号などの処理を行うバックエンド部４９０を示している。バックエンド部４９０は、ビタビ復号器など、通常のこの種の受信装置に備えられる復号器を有する。また、受信装置４００は、補正係数算出部４３０に後述する各種情報を入力するための制御部４７０と、バックエンド部４９０が出力した復号結果に対してＣＲＣ（Ｃｙｃｌｉｃ  Ｒｅｄｕｎｄａｎｃｙ  Ｃｈｅｃｋ）処理を行い、その結果（ＯＫかＮＧか）を出力するＭＡＣ部４８０（ＭＡＣ：Ｍｅｄｉａ  Ａｃｃｅｓｓ  Ｃｏｍｔｒｏｌ）を備える。なお、ＭＡＣ部４８０によるＣＲＣ処理の結果は、制御部４７０にも入力される。
【０１４４】
さらに、アンテナ１１０とアンテナ１２０は、有線により外部と接続されており、閾値設定時には、有線接続により外部から受信信号Ｒ１と受信信号Ｒ２を夫々供され、それらをフロントエンド部１１２とフロントエンド部１２２に出力する。
【０１４５】
４７０には、外部から、モード信号とＬＵＴ番号（ここでは１〜４の４つ）が入力され、ＭＡＣ部４８０からＣＲＣ処理の結果が入力される。
【０１４６】
補正係数算出部４３０には、ＲＳＳＩ１（ｎ）とＲＳＳＩ２（ｎ）以外に、さらに、制御部４７０からも種々の入力がなされる。スイッチ部４７０から補正係数算出部４３０に入力される情報については、補正係数算出部４３０の詳細構成と共に説明する。
【０１４７】
図１０は、補正係数算出部４３０の構成例を示す。補正係数算出部４３０は、最強ブランチ判別部４３１、差分算出部４３２、ＬＵＴ記憶部４３４、ＬＵＴ選択部４３５、補正係数出力部４３６、セレクタ４４２、閾値調整部４５０を有する。閾値調整部４５０は、保存部４５１と閾値決定部４５２を備える。
【０１４８】
モード信号は、補正係数算出部４３０の動作モードを指示する信号であり、「１」であるときには「閾値調整モード」を示し、「０」であるときには「通常動作モード」を示す。このモード信号は、外部から制御部４７０に入力され、制御部４７０により補正係数算出部４３０に送信される。
【０１４９】
通常動作モードのときには、補正係数算出部４３０は、受信装置３００における補正係数算出部３３０と同様の動作をする。
【０１５０】
閾値調整モードのときには、補正係数算出部４３０は、ＬＵＴ１〜ＬＵＴ４を選択するための、ＲＳＳＩ（ｍａｘ）の強度範囲を特定する閾値Ｔ１〜閾値Ｔ３を調整する。
【０１５１】
補正係数算出部４３０の各機能ブロックを具体的に説明する。
最強ブランチ判別部４３１は、ＲＳＳＩ１（ｎ）とＲＳＳＩ２（ｎ）が入力され、ＲＳＳＩ１（ｎ）とＲＳＳＩ２（ｎ）のうちの大きい方（ＲＳＳＩ（ｍａｘ））を選択してＬＵＴ選択部４３５に出力すると共に、当該ブランチの番号（最強ブランチ番号）を補正係数出力部４３６に出力する。
【０１５２】
差分算出部４３２は、ＲＳＳＩ１（ｎ）とＲＳＳＩ２（ｎ）が入力され、それらの差分の絶対値ｄｉｆｆＡ（ｎ）を算出してＬＵＴ記憶部４３４に出力する。
【０１５３】
ＬＵＴ記憶部４３４には、受信装置３００における補正係数算出部３３０のＬＵＴ記憶部３４０に格納されたＬＵＴ１〜ＬＵＴ４と同様の４つのＬＵＴが格納されている。ＬＵＴ記憶部４３４は、セレクタ４４２からのＬＵＴ番号が示すＬＵＴから、差分算出部４３２からのｄｉｆｆＡに対応する補正係数（α０）を選択して補正係数出力部４３６に出力する。
【０１５４】
補正係数出力部４３６は、第１のブランチと第２のブランチのうちの、最強ブランチ判別部４３１からの最強ブランチ番号が示すブランチ（最強ブランチ）の補正係数として「１」を出力し、最強ブランチとは別のブランチの補正係数としてＬＵＴ記憶部４３４からの補正係数α０を出力する。
【０１５５】
最強ブランチ判別部４３１が出力したＲＳＳＩ（ｍａｘ）は、ＬＵＴ選択部４３５にも入力される。ＬＵＴ選択部４３５は、閾値Ｔ１〜閾値Ｔ３を保持しており、これらの閾値に基づいて、ＲＳＳＩ（ｍａｘ）が属する範囲を特定することにより、ＬＵＴ１〜ＬＵＴ４から１つのＬＵＴを選択する。ＬＵＴ選択部４３５は、選択したＬＵＴの番号をセレクタ４４２に出力する。また、ＬＵＴ選択部４３５は、閾値調整部４５０から閾値Ｔ１〜閾値Ｔ３を受信したときに、受信したこれらの閾値で、保持中の各閾値を夫々更新する。
【０１５６】
閾値の設定時に、外部から制御部４７０に、ＬＵＴ１〜ＬＵＴ４を夫々示す番号１〜４が順次入力される。制御部４７０は、外部から入力された番号を補正係数算出部４３０のセレクタ４４２に転送する。
【０１５７】
セレクタ４４２は、モード信号に応じて、制御部４７０からのＬＵＴ番号と、ＬＵＴ選択部４３５の出力のうちの一方を選択して出力する。具体的には、モード信号が「１」であるときには制御部４７０からのＬＵＴ番号を出力し、モード信号が「０」であるときにはＬＵＴ選択部４３５からの番号を出力する。セレクタ４４２が出力したＬＵＴ番号は、ＬＵＴ記憶部４３４と閾値調整部４５０に入力される。
【０１５８】
閾値調整部４５０は、モード信号が「１」であるときにのみ動作し、ＬＵＴ選択部４３５に閾値Ｔ１〜閾値Ｔ３を出力する。
【０１５９】
閾値調整部４５０の保存部４５１は、制御部４７０からＣＲＣ積算結果が入力され、それを保存する。このＣＲＣ積算結果は、制御部４７０が、ＭＡＣ部４８０からのＣＲＣ処理の結果のうちの、「ＯＫ」であるチェック結果を積算して得たものである。以下において、「ＯＫ」であるＣＲＣ処理の結果を積算して得たものを単に「ＣＲＣ積算結果」と表記する。
【０１６０】
保存部４５１は、セレクタ４４２からのＬＵＴ番号と、最強ブランチ判別部４３１からのＲＳＳＩ（ｍａｘ）とに対応付けて保存する。
【０１６１】
閾値決定部４５２は、保存部４５１に保存されたデータに基づいて閾値Ｔ１〜閾値Ｔ３を決定してＬＵＴ選択部４３５に出力する。図１１を参照して閾値決定部４５２が閾値Ｔ１〜閾値Ｔ３を決定する際の具体的な手法を説明する。
【０１６２】
図１１は、保存部４５１が取得して保存したデータの例を示す。図中左端の欄は、最強ブランチの受信信号の強度（ＲＳＳＩ（ｍａｘ）を示し、最小値と最大値が夫々Ｐ０とＰＭである。また、Ａ１、Ａ２、Ａ３、Ａ４は、ＣＲＣ積算結果であり、Ａに続く数字は、該ＣＲＣ積算結果が得られたときに使用したＬＵＴの番号である。また、Ａ１、Ａ２などに続く括弧内の英数字は、該ＣＲＣ積算結果が得られたときのＲＳＳＩ（ｍａｘ）である。例えば、Ａ１（Ｐ０）は、ＲＳＳＩ（ｍａｘ）がＰ０であり、ＬＵＴ１が用いられたときのＣＲＣ積算結果を示す。
【０１６３】
閾値決定部４５２は、図１１に示すデータから閾値Ｔ１〜閾値Ｔ３を決定する。具体的には、まず、ＬＵＴ１とＬＵＴ２間でＣＲＣ積算結果を比較し、ＣＲＣ積算結果の大小関係が逆転する境界のＲＳＳＩ（ｍａｘ）を閾値Ｔ１に決定する。図１１に示す例では、ＲＳＳＩ（ｍａｘ）がＰ０以上（Ｐ０＋ｎ１）以下であるときに、Ａ１がＡ２以上であり、ＲＳＳＩ（ｍａｘ）が（Ｐ０＋ｎ１＋１）以上になったときに、Ａ１がＡ２より小さくなる。そのため、閾値決定部４５２は、（Ｐ０＋ｎ１）を閾値Ｔ１に決定する。
【０１６４】
次に、閾値決定部４５２は、ＬＵＴ２とＬＵＴ３間でＣＲＣ積算結果を比較し、ＣＲＣ積算結果の大小関係が逆転する境界のＲＳＳＩ（ｍａｘ）を閾値Ｔ２に決定する。図１１に示す例では、ＲＳＳＩ（ｍａｘ）がＰ０以上（Ｐ０＋ｎ２）以下であるときに、Ａ２がＡ３以上であり、ＲＳＳＩ（ｍａｘ）が（Ｐ０＋ｎ２＋１）以上になったときに、Ａ２がＡ３より小さくなる。そのため、閾値決定部４５２は、（Ｐ０＋ｎ２）を閾値Ｔ２に決定する。
【０１６５】
最後に、閾値決定部４５２は、ＬＵＴ３とＬＵＴ４間でＣＲＣ積算結果を比較し、ＣＲＣ積算結果の大小関係が逆転する境界のＲＳＳＩ（ｍａｘ）を閾値Ｔ３に決定する。図１１に示す例では、ＲＳＳＩ（ｍａｘ）がＰ０以上（Ｐ０＋ｎ３）以下であるときに、Ａ３がＡ４以上であり、ＲＳＳＩ（ｍａｘ）が（Ｐ０＋ｎ３＋１）以上になったときに、Ａ３がＡ４より小さくなる。そのため、閾値決定部４５２は、（Ｐ０＋ｎ３）を閾値Ｔ３に決定する。
【０１６６】
このようにして閾値Ｔ１〜閾値Ｔ３を設定すると、ＲＳＳＩ（ｍａｘ）がＰ０以上（Ｐ０＋ｎ１）以下であるときにＬＵＴ１を用いればＣＲＣ積算結果が最も高く、ＲＳＳＩ（ｍａｘ）が（Ｐ０＋ｎ１）より大きく、（Ｐ０＋ｎ２）以下であるときにＬＵＴ２を用いればＣＲＣ積算結果が最も高い。同様に、ＲＳＳＩ（ｍａｘ）が（Ｐ０＋ｎ２）より大きく、（Ｐ０＋ｎ３）以下であるときにＬＵＴ３を用いればＣＲＣ積算結果が最も高く、ＲＳＳＩ（ｍａｘ）が（Ｐ０＋ｎ３）より大きいときにＬＵＴ４を用いればＣＲＣ積算結果が最も高い。
【０１６７】
図１２は、補正係数算出部４３０が閾値Ｔ１〜閾値Ｔ３を決定する処理の流れを示すフローチャートである。この処理は、モード信号が「１」であるときに行われる。なお、モード信号が「０」であるときには、補正係数算出部４３０が、受信装置３００における補正係数算出部３３０と同様の動作をするため、この場合について説明を省略する。
【０１６８】
図１２の示すフローチャートは、受信装置４００に閾値Ｔ１〜閾値Ｔ３の調整を行わせる際に、ＲＳＳＩ（ｍａｘ）が最小値Ｐ０から最大値ＰＭまでの各値の夫々になるように受信装置４００にフレームを順次送信することをＬＵＴの個数分（ここでは４）回繰り返す場合の例である。図示のように、まず、ＲＳＳＩ（ｍａｘ）が最小値Ｐ０となるようにフレームが受信装置４００に送信される（Ｓ２０２、Ｓ２０４）。例えば、図１２に示すように、ブランチ１を最強ブランチとし、ブランチ１については、受信信号の強度が（Ｐ０＋ｍ２）（ここでは、ｍ２が０となる）になり、ブランチ２については、受信信号の強度が（Ｐ０−Ｐｄ＋ｍ２）になるように受信信号Ｒ１と受信信号Ｒ２を受信装置４００に送信する。なお、Ｐｄは、ブランチ１とブランチ２の受信信号の強度の差分である。
【０１６９】
このとき、制御部４７０を介して補正係数算出部４３０のセレクタ４４２にＬＵＴ番号「１」が入力され、セレクタ４４２は、それをＬＵＴ記憶部４３４に出力する（Ｓ２０６）。また、差分算出部４３２は、ｄｉｆｆＡを算出する（Ｓ２０８）。
【０１７０】
次いで、第１のブランチと第２のブランチの補正係数α１と補正係数α２が得られる（Ｓ２１０）。具体的には、最強ブランチの補正係数として「１」が付与され、別のブランチの補正係数として、ステップＳ２０６でセレクタ４４２が出力したＬＵＴ番号に対応するＬＵＴ（ＬＵＴｍ１、ここではＬＵＴ１）から、ステップＳ２０８で算出したｄｉｆｆＡに対応する補正係数が得られる。
【０１７１】
そして、ＭＡＣ部４８０により、補正係数α１と補正係数α２を用いて得られた合成信号の復号結果に対するＣＲＣ処理がなされ、制御部４７０によりＣＲＣ積算結果が算出され、保存部４５１に入力される。保存部４５１は、制御部４７０からのＣＲＣ積算結果を、ＬＵＴ１とＰ０に対応付けて保存する（Ｓ２１２）。
【０１７２】
そして、次の受信フレームに対して、ステップＳ２０６〜ステップＳ２１２の処理が繰り返され、保存部４５１により、ＬＵＴ１と（Ｐ０＋１）とに対応付けてＣＲＣ積算結果が保存される（Ｓ２１４：Ｎｏ、Ｓ２１６、Ｓ２０４〜Ｓ２１２）。
【０１７３】
その後、ＲＳＳＩ（ｍａｘ）が最大値ＰＭになるまで、ステップＳ２０６〜ステップＳ２１２の処理が繰り返される。
【０１７４】
その結果、図１１における、ＬＵＴ１についての、ＲＳＳＩ（ｍａｘ）の異なる値毎のＣＲＣ積算結果（Ａ１）が得られる。
【０１７５】
続いて、外部からのＬＵＴ番号が１つインクリメントされ（Ｓ２２０：Ｎｏ、Ｓ２２４）、ステップＳ２０２〜Ｓ２１２の処理は、ＬＵＴ２について繰り返される。
【０１７６】
その結果、図１１における、ＬＵＴ２についての、ＲＳＳＩ（ｍａｘ）の異なる値毎のＣＲＣ積算結果（Ａ２）が得られる。
【０１７７】
その後、ステップＳ２０２〜Ｓ２１２の処理は、ＬＵＴ３とＬＵＴ４についても繰り返され、図１１における各Ａ３と各Ａ４が得られる。
【０１７８】
＜第５の実施の形態＞
図１３は、第５の実施の形態にかかる通信システム５００を示す。通信システム５００は、通信装置５１０と、複数の通信装置５２０を備える。通信システム５００は、移動体向けの通信システムであり、例えば、通信装置５１０は道路の横に固設された通信装置であり、通行する車に積載された通信装置と送受信し、通信装置５２０は車積の通信装置であり、通信装置５１０及び他の車に積載された通信装置５２０と送受信を行う。
【０１７９】
通信装置５１０と通信装置５２０は、同様の構成とすることができ、ここで通信装置５２０を代表にして説明する。図１４は、通信装置５２０を示す。通信装置５２０は、２つのアンテナ（アンテナ１１０、１２０）、ＲＦ（Ｒａｄｉｏ  Ｆｒｅｑｕｅｎｃｙ）部５３０、ベースバンド部５５０、ＭＡＣ（Ｍｅｄｉａ  Ａｃｃｅｓｓ  Ｃｏｎｔｒｏｌ）部８００を備える。通信装置５２０は、受信時において、２ブランチのダイバシティ受信を行う。
【０１８０】
ＲＦ部５３０は、第１のブランチ用のＲＦ部５３２と、第２のブランチ用のＲＦ部５４２を備える。ＲＦ部５３２は、アンテナ１１０が受信した信号（第１のブランチの信号）に対して周波数帯域の変換などを行ってベースバンド部５５０の受信部６００に出力し、ＲＦ部５４２は、アンテナ１２０が受信した信号（第２のブランチの信号）に対して周波数帯域の変換などを行って受信部６００に出力する。
【０１８１】
ベースバンド部５５０は、受信部６００と送信部７００を備える。
受信部６００は、例えば図６に示す受信装置３００である。受信部６００におけるフロントエンド部６１２、ＦＦＴ演算部６１４、伝送路応答推定部６１６は、受信装置３００におけるフロントエンド部１１２、ＦＦＴ演算部１１４、伝送路応答推定部１１６と夫々同様である。
【０１８２】
また、受信部６００におけるフロントエンド部６２２、伝送路応答推定部６２６も、受信装置３００におけるフロントエンド部１２２、伝送路応答推定部１２６と夫々同様である。
【０１８３】
ＦＦＴ／ＩＦＦＴ演算部６２４は、受信装置３００におけるＦＦＴ演算部１２４と同様の機能以外に、逆高速フーリエ変換（ＩＦＦＴ）機能を備える。このＩＦＦＴ機能は、通信装置５２０による送信時に使用される。つまり、ＦＦＴ／ＩＦＦＴ演算部６２４のＦＦＴ演算機能部分は、受信部６００に含まれ、そのＩＦＦＴ演算機能部分は、送信部７００に含まれる。
【０１８４】
また、受信部６００における補正係数算出部６３０と合成部６４０も、受信装置３００における補正係数算出部３３０と合成部２４０と夫々同様である。
【０１８５】
バックエンド部６５０は、合成部６４０が得た合成信号Ｄに対してビタビ復号などの処理を行い、復号結果をＭＡＣ部８００に出力する。
【０１８６】
送信部７００は、フロントエンド部７１０、ＦＦＴ／ＩＦＦＴ演算部６２４のＩＦＦＴ演算機能部分、バックエンド部７２０を備える。
【０１８７】
フロントエンド部７１０は、ＭＡＣ部８００から送信情報を受け取り、符号化などの処理を行ってサブキャリア信号を得てＦＦＴ／ＩＦＦＴ演算部６２４に出力する。
【０１８８】
ＦＦＴ／ＩＦＦＴ演算部６２４は、フロントエンド部７１０の出力に対してＩＦＦＴ演算を行って、時間領域のシンボル信号を得てバックエンド部７２０に出力する。
【０１８９】
バックエンド部７２０は、ＦＦＴ／ＩＦＦＴ演算部６２４の出力をＯＦＤＭ方式の信号に変換してＲＦ部５４２に出力する。
【０１９０】
ＲＦ部５４２は、バックエンド部７２０の信号に対して受信時とは逆の周波数帯域の変換処理を行って、処理後の信号を、アンテナ１２０を介して送出する。
【０１９１】
ＭＡＣ部８００は、ＭＡＣ層の処理を行うものであり、この種の通信装置に備えられたものと同様であり、ここで詳細な説明を省略する。
【０１９２】
なお、通信システム５００において、例として、受信部６００として受信装置３００を用いたが、前述したいずれの実施の形態にかかる受信装置も、受信部６００として用いてもよい。勿論、用いられる受信装置の全ての効果も得ることができる。
【０１９３】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【０１９４】
１００  受信装置
１１０  アンテナ
１１２  フロントエンド部
１１４  ＦＦＴ演算部
１１６  伝送路応答推定部
１２０  アンテナ
１２２  フロントエンド部
１２４  ＦＦＴ演算部
１２６  伝送路応答推定部
１３０  補正係数算出部
１４０  合成部
１５１  乗算部
１５２  電力算出部
１５３  乗算器
１５４  乗算器
１６１  乗算器
１６２  電力算出部
１６３  乗算器
１６４  乗算器
１７１  加算器
１７２  加算器
１７３  除算器
２００  受信装置
２１１  Ａ／Ｄ変換部
２１２  ＡＧＣ部
２１３  フィルタ
２１４  ＬＰ位置推定部
２１５  ＡＦＣ部
２１６  位相補正部
２３０  補正係数算出部
２４０  合成部
３００  受信装置
３３０  補正係数算出部
３４０  ＬＵＴ記憶部
３５０  ＬＵＴ選択部
４００  受信装置
４３０  補正係数算出部
４３１  最強ブランチ判別部
４３２  差分算出部
４３４  ＬＵＴ記憶部
４３５  ＬＵＴ選択部
４３６  補正係数出力部
４４２  セレクタ
４５０  閾値調整部
４５１  保存部
４５２  閾値決定部
４７０  制御部
４８０  ＭＡＣ部
４９０  バックエンド部
５００  通信システム
５１０  通信装置
５２０  通信装置
５３０  ＲＦ部
５３２  ＲＦ部
５４２  ＲＦ部
５５０  ベースバンド部
６００  受信部
６１２  フロントエンド部
６１４  ＦＦＴ演算部
６１６  伝送路応答推定部
６２２  フロントエンド部
６２４  ＦＦＴ／ＩＦＦＴ演算部
６２６  伝送路応答推定部
６３０  補正係数算出部
６４０  合成部
６５０  バックエンド部
７００  送信部
７１０  フロントエンド部
７２０  バックエンド部
８００  ＭＡＣ部
Ｄ  合成信号
Ｈ１、Ｈ２  伝送路応答
ＬＵＴ１〜ＬＵＴ４  ルック・アップ・テーブル
Ｒ１、Ｒ２  受信信号
Ｓ１、Ｓ２  サブキャリア信号
Ｔ１、Ｔ２、Ｔ３  閾値
α１、α２  補正係数
【図１】
2014060591.tif 000014
【図２】
2014060591.tif 000015
【図３】
2014060591.tif 000016
【図４】
2014060591.tif 000017
【図５】
2014060591.tif 000018
【図６】
2014060591.tif 000019
【図７】
2014060591.tif 000020
【図８】
2014060591.tif 000021
【図９】
2014060591.tif 000022
【図１０】
2014060591.tif 000023
【図１１】
2014060591.tif 000024
【図１２】
2014060591.tif 000025
【図１３】
2014060591.tif 000026
【図１４】
2014060591.tif 000027
【図１５】
2014060591.tif 000028